(57)【要約】      （修正有）【課題】電動モーターの回転数を上げることなく、迅速かつ低騒音、低振動で野菜をスライスすることができる電動野菜スライサーを提供する。【解決手段】３又は４以上の回転刃が取付けられた回転面ＲＦと、回転面の上方に設置され、３又は４以上の野菜投入口ＶＯを有する野菜投入具ＶＵと、回転面の下方に有って回転面を垂直軸廻りに回転駆動する電動モーターＭと基盤体部ＢＰとから構成される電動野菜スライサーであり、電動モーターと野菜投入具が基盤体部に取付けられ、回転刃の刃先が放射状に回転面に取付けられ、かつ、刃先が回転面よりスライス厚さ上方に突出し、野菜投入口は、円形、楕円形、長方形、又は相対する直線と円弧からなる形状をし、野菜投入口の長手方向は垂直方向又は回転方向に対して斜め下方向であり、野菜を回転刃へ案内すると共に保持する。【選択図】図１
0003214798.tif 000002
【実用新案登録請求の範囲】
【請求項１】
３又は４以上の回転刃ＲＣが取付けられた回転面ＲＦと、回転面ＲＦの上方に設置され、３又は４以上の野菜投入口ＶＯを有してなる野菜投入具ＶＵと、回転面ＲＦの下方に有って回転面ＲＦを垂直軸ＲＬ廻りに回転駆動する電動モーターＭと電動モーターＭと野菜投入具ＶＵを固定してなる基盤体部ＢＰとから構成される電動野菜スライサー１００において、電動モーターＭと野菜投入具ＶＵが基盤体部ＢＰに取付けられてなり、回転刃ＲＣの刃先ＣＥが放射状に野菜投入具ＶＵに取付けられてなり、かつ、回転刃ＲＣの刃先ＣＥが回転面ＲＦよりスライス厚さｔ（ｃｍ）上方に突出してなり、
野菜投入口ＶＯの形状Ｇは、スライスする野菜Ｖを投入するために円形又は楕円形又は長方形又は相対する直線と相対する円弧からなる形状をしてなり、野菜投入口ＶＯの長手方向ＶＬは垂直方向又は回転方向に対して斜め下方向であり、野菜投入口ＶＯはスライスする野菜Ｖを回転刃ＲＣへと案内すると共に、スライスする野菜Ｖを保持することを特徴とする電動野菜スライサー１００。
【請求項２】
長手方向ＶＬが回転方向に対して斜め下方向とは、野菜投入口ＶＯの長手方向ＶＬが回転面の回転方向に向かって斜めに下がっていく斜め方向であることを特徴とする請求項１に記載された電動野菜スライサー１００。
【請求項３】
長手方向ＶＬが垂直方向である場合は、野菜投入口ＶＯから手でスライスする野菜Ｖを回転刃ＲＣへと送り出し、
長手方向ＶＬが回転方向に対して斜め下方向である場合は、野菜投入口ＶＯからスライスする野菜Ｖが自動的に回転刃ＲＣへと送り出されることを特徴とする請求項１〜２の何れかに記載された電動野菜スライサー１００。
【請求項４】
基盤体部ＢＰの取付部とて野菜投入具ＶＵの取付部の穴あきスペーサーを挿入してネジ締めをすることにより、回転刃ＲＣの刃先ＣＥが回転面ＲＦよりスライス厚さｔ（ｃｍ）上方に突出してなるように調整をすることを特徴とする請求項１〜３の何れかに記載された電動野菜スライサー１００。
【請求項５】
スライスする野菜Ｖが、ごぼうである、又は、大根を縦半分に切ったもの、又は、縦半分に切った大根をさらに縦半分に切ったものであることを特徴とする請求項１〜４の何れかに記載された電動野菜スライサー１００。
【請求項６】
スライスした野菜Ｖを受ける野菜受けＶＲが、垂直板と斜板とから構成されてなり、垂直板が野菜投入具ＶＵの取付部に取付けてなることを特徴とする請求項１〜５の何れかに記載された電動野菜スライサー１００。
【請求項７】
電動野菜スライサー１００が筐体ＢＸに収納されてなり、筐体ＢＸの上面部、及び、野菜受けＶＲが設置されてスライスされた野菜を収穫する側の側面部が開口されてなることを特徴とする請求項１〜６の何れかに記載された電動野菜スライサー１００。
【考案の詳細な説明】
【技術分野】
【０００１】
本考案は、電動野菜スライサーに関する。
【背景技術】
【０００２】
電動モーターの回転数を大きくすることより電動モーターの小型化を図ることができるが、電動野菜スライサーを提供する場合、野菜のスライスはそれ程大きな電力を必要とせず、電動モーターの回転数を大きくすることによる騒音及び振動の増加という欠点の方がより大きな問題としてクローズアップしてくる。
むしろ、騒音及び振動について問題のない回転数の電動モーターを用いることにより、スライスできる野菜の量を増やして生産性の向上を図ることが重要となってくる。
【０００３】
考案者は、かかる従来技術の欠点に鑑み鋭意研究した結果、本考案を完成させた。
【先行技術文献】
【特許文献】
【０００４】
本願考案に係る電動野菜スライサーについて、ＦＩ、キーワード検索を行ったところ、本件考案（請求項１〜７に記載された発明）に近い考案等記載文献は、発見されませんでしたので、特許文献の記載は省略する。
【考案の概要】
【考案が解決しようとする課題】
【０００５】
○本考案が解決しようとする第１課題
本考案が解決しようとする第１課題は、
電動モーターの回転数を上げることなく、迅速かつ低騒音で低振動で野菜をスライスすることができる電動野菜スライサーを提供することである。
○本考案が解決しようとする第２課題
本考案が解決しようとする第２課題は、
野菜投入口から手でスライスする野菜を回転刃へと送り出す必要があると考えられているが、野菜投入口からスライスする野菜が自動的に回転刃へと送り出されることができる電動野菜スライサーを提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
本発明について、座標系はｘｙｚ座標系を採用するものとし、正面図、背面図、左側面図、右側面図、平面（上面）図、底面図、斜視図において、統一的にｘｙｚ座標系を採用する。
ｘｙｚ座標系は、原則として、以下のように定める。
ｘ方向とは、正面図において右側面から左側面への方向（水平方向）をいう。
ｙ方向とは、正面図において底面から平面（上面）への方向（反重力方向）をいう。
ｚ方向とは、正面図において正面から背面への方向（水平方向）をいう。
＜用語の説明＞
○スライサーとは、本発明においては、野菜を薄く切る道具をいう。
○回転刃ＲＣとは、電動モーターＭにより回転駆動する回転面ＲＦに刃先ＣＥを回転方向に向けて取付けてなる野菜Ｖをスライスするための刃をいう。
ここに、刃とは、対象を切断ないし切削する（本発明では、野菜をスライスする）機械要素ないし構造のことである。
○刃先ＣＥとは、刃の先端をいう。本発明では、回転刃ＲＣの刃先ＣＥが放射状に回転面ＲＦよりスライス厚さｔ（ｃｍ）上方に突出するように基盤体部ＢＰに取付けられてなる。
○３又は４以上の回転刃ＲＣとは、電動モーターＭの回転数を一定にして、スライスできる野菜の量を３倍又は４倍以上に増やして生産性を３倍又は４倍以上に向上するために必要な回転刃ＲＣの個数をいう。
○電動野菜スライサー１００とは、電動モーターＭの駆動により、回転面ＲＦの上方に設置された回転刃ＲＣを回転させることにより半自動的に野菜Ｖをスライスするためのスライサーをいう。
本発明に係る電動野菜スライサー１００とは、３又は４以上の回転刃ＲＣが取付けられた回転面ＲＦと、回転面ＲＦの上方に設置され、３又は４以上の野菜投入口ＶＯを有してなる野菜投入具ＶＵと、回転面ＲＦの下方に合って回転面ＲＦを垂直軸ＲＬ廻りに回転駆動する電動モーターＭと基盤体部ＢＰとから構成されてなる。
○回転面ＲＦとは、回転面ＲＦの下方にある電動モーターＭによって回転駆動され、回転面ＲＦに取付けられた回転刃ＲＣを回転駆動させることにより半自動的に野菜Ｖをスライスするための電動野菜スライサー１００の構成要素の一つである。
○野菜投入口ＶＯとは、野菜投入具ＶＵに設けてあって、スライスする野菜Ｖを回転刃ＲＣへと案内すると共に、スライスする野菜Ｖを保持するための野菜投入具ＶＵの上面と下面を貫通する貫通口をいう。
○野菜投入具ＶＵとは、３又は４以上の野菜投入口ＶＯを有してなり、基盤体部ＢＰに取付けられてなるスライスする野菜Ｖを投入するための道具をいう。
○３又は４以上の野菜投入口ＶＯとは、電動モーターＭの回転数を一定にして、スライスできる野菜の量を３倍又は４倍以上に増やして生産性を３倍又は４倍以上に向上するために必要な野菜投入口ＶＯの個数をいう。
○垂直軸ＲＬとは、回転する回転面ＲＦの中心軸をいい、当該中心軸が垂直方向に一致している。
●基盤体部ＢＰとは、３又は４以上の野菜投入口ＶＯを有してなる野菜投入具ＶＵと、回転面ＲＦを垂直軸ＲＬ廻りに回転駆動する電動モーターＭを、動かないように固定するための基盤体部をいう。
○野菜投入口ＶＯの形状Ｇが円形の断面であるとは、ぶつ切りにスライスする円形状の野菜Ｖを投入するための断面をいう（図１０（Ａ）図）。
○野菜投入口ＶＯの形状Ｇは楕円形の断面であるとは、斜め切りにスライスする円形状野菜を投入するための断面をいう（図１０（Ｂ）図）。
○野菜投入口ＶＯの形状Ｇは長方形であるとは、大型の野菜（例えば、大根等）を縦半分に切ったもの、又は、縦半分に切った大型の野菜をさらに縦半分に切ったものを一緒に投入するための断面（図１０（Ｃ）図）をいう。
○野菜投入口ＶＯの形状Ｇは相対する直線と相対する円弧からなる形状であるとは、大型の野菜（例えば、大根等）を縦半分に切ったもの、又は、縦半分に切った大型の野菜をさらに縦半分に切ったものを一緒に投入するための断面をいう（図１０（Ｄ）図）。
○野菜投入口ＶＯの長手方向ＶＬとは、野菜投入口ＶＯの形状Ｇの中心線（重心）が下方に向かう方向をいう（図６（Ｂ）図、図１１）。
○スライス厚さｔ（ｃｍ）とは、スライスした野菜Ｖの厚さ（ｃｍ）をいう。
スライス厚さｔ（ｃｍ）を所定の厚さにすることは、  基盤体部ＢＰの取付け部とて野菜投入具ＶＵの取付部の穴あきスペーサーを挿入してネジ締めをすることにより、野菜投入具ＶＵが回転刃ＲＣの刃先ＣＥが放射状に回転面ＲＦよりスライス厚さｔ（ｃｍ）上方に突出するように調整をすることで達成される。
○長手方向ＶＬが垂直方向であるい野菜投入口ＶＯとは、野菜投入口ＶＯの長手方向ＶＬが回転面ＲＦの面に対して直角を意味し、スライスする円形状の野菜をぶつ切りにするための野菜投入口ＶＯをいう。
○放射状とは、線状のものが中心から四方に出ているさまをいう。
本発明では、刃先ＣＥの線が中心軸ＲＬから四方に出ているさまをいう（図４上図）。
○回転刃ＲＣの刃先ＣＥが回転面ＲＦよりスライス厚さｔ（ｃｍ）上方に突出するとは、スライス厚さｔ（ｃｍ）のスライスした野菜Ｖを得るためには、回転刃ＲＣの刃先ＣＥが回転面ＲＦの上面より上に位置することをいう。逆に言えば、回転刃ＲＣの刃先ＣＥが回転面ＲＦよりスライス厚さｔ（ｃｍ）上方に突出するようにすれば、スライス厚さｔ（ｃｍ）のスライスした野菜Ｖを得ることができる（図４下図、図５（Ｂ）、図５（Ａ）図）。
○野菜投入口ＶＯの長手方向ＶＬは回転方向に対して斜め下方向であるとは、スライスする野菜Ｖを斜め切りする場合、野菜投入口ＶＯの長手方向ＶＬを回転方向に対して斜め下方向にする必要があることをいう（図６（Ｂ）図、図１１）。
このように野菜投入口ＶＯの向きを設定すると、スライスする野菜Ｖに対して、回転方向に力ＶＦを付与し、野菜投入口ＶＯの長手方向ＶＬに下方方向の力を受けるので、スライスする野菜を手で野菜投入口ＶＯがら回転面ＲＦへと送出する必要がなく自動的に力ＶＦによりスライスする野菜が自動的に野菜投入口ＶＯが回転面ＲＦへと送出されることになる（図１１）。
○筐体ＢＸとは機械や装置の本体部分（カバーも含める）のことをいい、手や他の器具で触れる部分（操作部）に対する用語である。
●ｘｙｚ座標系（野菜投入口ＶＯの形状Ｇ）
野菜投入口ＶＯの形状Ｇを記述する場合、特に断らない限り、既に定義したｘｙｚ座標を用いる。
野菜投入口ＶＯの形状Ｇは、野菜投入口ＶＯの輪郭線２次元画像Ｇ（ｘ，ｚ）で表される。２次元画像Ｇ（ｘ，ｚ）は、野菜投入口ＶＯの輪郭線２を表す点（ｘ，ｚ）の集合をいう。
●ｘ’ｙ’ｚ’座標系
ｘ’ｙ’ｚ’座標系は、以下のように定める。
ｘ’方向とは、ｘ方向からｚ方向の周りに角度φ回転した方向をいう。
ｙ’方向とは、ｙ方向からｚ方向の周りに角度φ回転した方向をいう。
ｚ’方向とは、ｚ方向と同じであり、正面から背面への方向をいう。
●ｘｙｚ座標系の原点
（１）野菜投入口ＶＯの形状（野菜投入具を記述する場合、野菜投入口ＶＯ（上面又は底面）の形状の中心（重心）を原点（点Ｏ１、点Ｏ２）とする。
（２）野菜投入口ＶＯの形状（野菜投入具を記述する場合、野菜投入口ＶＯ（上面又は底面）の形状の中心（重心）を原点（点Ｏ１、点Ｏ２）とし、点Ｏ１、点Ｏ２を結ぶ線上に有る点Ｏ’を  原点とする。
●ｘ’ｙ’ｚ’座標系の原点
（１）野菜投入口ＶＯの形状（野菜投入具を記述する場合、野菜投入口ＶＯ（上面又は底面）の形状の中心（重心）を原点（点Ｏ１、点Ｏ２）とする。
（２）野菜投入口ＶＯの形状（野菜投入具を記述する場合、野菜投入口ＶＯ（上面又は底面）の形状の中心（重心）を原点（点Ｏ１、点Ｏ２）とし、点Ｏ１、点Ｏ２を結ぶ線上に有る点Ｏ’を  原点とする。
●野菜投入口ＶＯの形状の画像Ｇは、ｘｙｚ座標系で表す場合とｘ’ｙ’ｚ’座標系で表す場合があることについて
野菜投入口ＶＯの形状の画像Ｇ（ｘ，ｚ）は、特に断らない限り、ｘｙｚ座標系で表すものとする。
点Ｏ１、点Ｏ２を結ぶ線上に有る点Ｏ’を原点とし、当該原点を通る野菜投入口ＶＯの横断面の形状像Ｇ’を画像Ｇ’（ｘ’，ｚ’）とする。
そして、画像Ｇ（ｘ，ｚ）の点Ｐを（ｘ，ｚ）とし、画像Ｇ’（ｘ’，ｚ’）の点Ｐを（ｘ’，ｚ’）とすれば、下式を得る。
ｘｓｉｎ（φ）＝ｘ’、ｚ＝ｚ’……（１）式
画像Ｇ’（ｘ’，ｚ’）が半径ａの円形状である場合、下式を得る。
（ｘ’／ａ）＊＊２＋（ｚ’／ａ）＊＊２＝１……（２）式
（１）式を（２）式に代入して、下式を得る。
（ｘ’／（ａ／ｓｉｎ（φ））＊＊２＋（ｚ’／ａ）＊＊２＝１……（３）式
野菜投入口ＶＯの横断面の形状像Ｇ’が円形状の場合、野菜投入口ＶＯの形状の画像Ｇは楕円形場で表される（図６、図７）。
＊＊＊＊＊＊＊＊＊＊＊＊＊＊＊＊＊＊＊＊＊＊＊＊＊＊＊＊＊＊＊＊＊＊＊
＜図６の説明について＞
図６は、野菜投入口ＶＯの長手方向ＶＬが垂直方向又は回転方向に対して斜め下方向である場合を表したものである。
野菜投入口ＶＯ（上面）の形状の中心（重心）を点Ｏ１とし、野菜投入口ＶＯ（底面）の形状の中心（重心）を点Ｏ２とする。
距離ＯＯ１＝距離ＯＯ２＝ｒ（ｃｍ）とし、線ＯＯ１と線ＯＯ２の狭角をΔθとすれば、
距離 Ｏ１Ｏ２＝２ｒｓｓｉｎ（Δθ／２）……（１）式
ここに、距離ｏ１ｏ２は、点Ｏ１と点Ｏ２との水平方向の距離をいう（点Ｏ１と点Ｏ２のｙ方向の値を同じにして考える。）。
また、野菜投入口ＶＯの長手方向ＶＬが垂直方向となす角度をφ、野菜投入具ＶＵの高さをｈ（ｃｍ）とすれば、
Ｓｉｎ（φ）＝距離Ｏ１Ｏ２／ｈ＝２ｒ（Δθ／２）／ｈ……（２）式
＊＊＊＊＊＊＊＊＊＊＊＊＊＊＊＊＊＊＊＊＊＊＊＊＊＊＊＊＊＊＊＊＊＊＊
＜図１２の説明について＞
図１１は、長手方向ＶＬが回転方向に対して斜め下方向である場合は、野菜投入口ＶＯからスライスする野菜Ｖが自動的に回転刃ＲＣへと送り出されることを示す図であり、図１２は、図１１において力の釣合を示す部分を拡大したものである。
回転刃ＲＣの刃先ＣＥは、回転駆動することによって、スライスする野菜Ｖに対して水平方向に、力Ｆを加える。力Ｆは、力Ｆｈと力Ｆｈに分解される。
ここに、Ｆｈ＝Ｆｃｏｓ（φ）
Ｆｖ＝Ｆｓｉｎ（φ）
力Ｆｈは、図面左側の野菜投入口の壁の反力Ｒと釣り合うことになり、スライスする野菜Ｖに、回転刃ＲＦの方向に押し付けるように、Ｆｖ＝Ｆｓｉｎ（φ）
が残り、力Ｆｖが作用する。
すなわち、スライスする野菜Ｖに、回転刃ＲＦの方向に押し付けるように、力Ｆｖが作用することになる。
よって、長手方向ＶＬが回転方向に対して斜め下方向である場合は、野菜投入口ＶＯからスライスする野菜Ｖが自動的に回転刃ＲＣへと送り出されることを示された。
＊＊＊＊＊＊＊＊＊＊＊＊＊＊＊＊＊＊＊＊＊＊＊＊＊＊＊＊＊＊＊＊＊＊＊
＜記号の説明について＞
。
○第１の考案（請求項１に記載の考案）  
上記の課題を解決するための第１の考案（請求項１に記載の考案）は、
３又は４以上の回転刃ＲＣが取付けられた回転面ＲＦと、回転面ＲＦの上方に設置され、３又は４以上の野菜投入口ＶＯを有してなる野菜投入具ＶＵと、回転面ＲＦの下方に有って回転面ＲＦを垂直軸ＲＬ廻りに回転駆動する電動モーターＭと基盤体部ＢＰとから構成される電動野菜スライサー１００において、電動モーターＭと野菜投入具ＶＵが基盤体部ＢＰに取付けられてなり、回転刃ＲＣの刃先ＣＥが放射状に野菜投入具ＶＵに取付けられてなり、かつ、回転刃ＲＣの刃先ＣＥが回転面ＲＦよりスライス厚さｔ（ｃｍ）上方に突出してなり、
野菜投入口ＶＯの形状Ｇは、スライスする野菜Ｖを投入するために円形又は楕円形又は長方形又は相対する直線と相対する円弧からなる形状をしてなり、野菜投入口ＶＯの長手方向ＶＬは垂直方向又は回転方向に対して斜め下方向であり、野菜投入口ＶＯはスライスする野菜Ｖを回転刃ＲＣへと案内すると共に、スライスする野菜Ｖを保持することを特徴とする電動野菜スライサー１００である。
○第２の考案（請求項２に記載の考案）  
上記の課題を解決するための第２の考案（請求項２に記載の考案）は、
長手方向ＶＬが回転方向に対して斜め下方向とは、野菜投入口ＶＯの長手方向ＶＬが回転面の回転方向に向かって斜めに下がっていく斜め方向であることを特徴とする請求項１に記載された電動野菜スライサー１００である。
○第３の考案（請求項３に記載の考案）
上記の課題を解決するための第３の考案（請求項３に記載の考案）は、
長手方向ＶＬが垂直方向である場合は、野菜投入口ＶＯから手でスライスする野菜Ｖを回転刃ＲＣへと送り出し、
長手方向ＶＬが回転方向に対して斜め下方向である場合は、野菜投入口ＶＯからスライスする野菜Ｖが自動的に回転刃ＲＣへと送り出されることを特徴とする請求項１〜２の何れかに記載された電動野菜スライサー１００である。
○第４の考案（請求項４に記載の考案）
上記の課題を解決するための第４の考案（請求項４に記載の考案）は、
基盤体部ＢＰの取付け部とて野菜投入具ＶＵの取付部の穴あきスペーサーを挿入してネジ締めをすることにより、回転刃ＲＣの刃先ＣＥが回転面ＲＦよりスライス厚さｔ（ｃｍ）上方に突出してなるように調整をすることを特徴とする請求項１〜３の何れかに記載された電動野菜スライサー１００である。
○第５の考案（請求項５に記載の考案）
上記の課題を解決するための第５の考案（請求項５に記載の考案）は、
スライスする野菜Ｖが、ごぼうである、又は、大根を縦半分に切ったもの、又は、縦半分に切った大根をさらに縦半分に切ったものであることを特徴とする請求項１〜４の何れかに記載された電動野菜スライサー１００である。
○第６の考案（請求項６に記載の考案）
上記の課題を解決するための第６の考案（請求項６に記載の考案）は、
スライスした野菜Ｖを受ける野菜受けＶＲが、垂直板と斜板とから構成されてなり、垂直板が野菜投入具ＶＵの取付部に取付けてなることを特徴とする請求項１〜５の何れかに記載された電動野菜スライサー１００である。
○第７の考案（請求項７に記載の考案）
上記の課題を解決するための第７の考案（請求項７に記載の考案）は、
電動野菜スライサー１００が筐体ＢＸに収納されてなり、筐体ＢＸの上面部、及び、野菜受けＶＲが設置されてスライスされた野菜を収穫する側の側面部が開口されてなることを特徴とする請求項１〜６の何れかに記載された電動野菜スライサー１００である。
【考案の効果】
【０００７】
本考案に係る、電動野菜スライサー１００は、上記のような特徴的構成要件から構成され、特徴的構成要件に応じた、以下のような本願考案特有の効果を奏する。
また、上記の各考案に応じた、上記のような特徴的構成要件から構成された電動野菜スライサー１００によれば、本願考案の課題を十分解消することができた。
○第１の考案の効果
第１の考案によれば、
３又は４以上の回転刃ＲＣが取付けられた回転面ＲＦと、回転面ＲＦの上方に設置され、３又は４以上の野菜投入口ＶＯを有してなる野菜投入具ＶＵと、回転面ＲＦの下方に有って回転面ＲＦを垂直軸ＲＬ廻りに回転駆動する電動モーターＭと基盤体部ＢＰとから構成される電動野菜スライサー１００において、電動モーターＭと野菜投入具ＶＵが基盤体部ＢＰに取付けられてなり、回転刃ＲＣの刃先ＣＥが放射状に野菜投入具ＶＵに取付けられてなり、かつ、回転刃ＲＣの刃先ＣＥが回転面ＲＦよりスライス厚さｔ（ｃｍ）上方に突出してなり、
野菜投入口ＶＯの形状Ｇは、スライスする野菜Ｖを投入するために円形又は楕円形又は長方形又は相対する直線と相対する円弧からなる形状をしてなり、野菜投入口ＶＯの長手方向ＶＬは垂直方向又は回転方向に対して斜め下方向であり、野菜投入口ＶＯはスライスする野菜Ｖを回転刃ＲＣへと案内すると共に、スライスする野菜Ｖを保持することという特徴的な構成要件により、本考案が解決しようとする第１課題〜第２課題を達成することができ、当業者予測不可能な顕著な効果を奏することができた。
○第２の考案の効果
第２の考案によれば、
長手方向ＶＬが回転方向に対して斜め下方向とは、野菜投入口ＶＯの長手方向ＶＬが回転面の回転方向に向かって斜めに下がっていく斜め方向であることという特徴的な構成要件により、本考案が解決しようとする第１課題〜第２課題を達成することができ、当業者予測不可能な顕著な効果を奏することができた。
○第３の考案の効果
第３の考案によれば、
長手方向ＶＬが垂直方向である場合は、野菜投入口ＶＯから手でスライスする野菜Ｖを回転刃ＲＣへと送り出し、
長手方向ＶＬが回転方向に対して斜め下方向である場合は、野菜投入口ＶＯからスライスする野菜Ｖが自動的に回転刃ＲＣへと送り出されることという特徴的な構成要件により、本考案が解決しようとする第１課題〜第２課題を達成することができ、当業者予測不可能な顕著な効果を奏することができた。
○第４の考案の効果
第４の考案によれば、
基盤体部ＢＰの取付け部とて野菜投入具ＶＵの取付部の穴あきスペーサーを挿入してネジ締めをすることにより、回転刃ＲＣの刃先ＣＥが回転面ＲＦよりスライス厚さｔ（ｃｍ）上方に突出してなるように調整をすることという特徴的な構成要件により、本考案が解決しようとする第１課題〜第２課題を達成することができ、当業者予測不可能な顕著な効果を奏することができた。
○第５の考案の効果
第５の考案によれば、
スライスする野菜Ｖが、ごぼうである、又は、大根を縦半分に切ったもの、又は、縦半分に切った大根をさらに縦半分に切ったものであることという特徴的な構成要件により、本考案が解決しようとする第１課題〜第２課題を達成することができ、当業者予測不可能な顕著な効果を奏することができた。
○第６の考案の効果
第６の考案によれば、
スライスする野菜Ｖが、ごぼうである、又は、大根を縦半分に切ったもの、又は、縦半分に切った大根をさらに縦半分に切ったものであることという特徴的な構成要件により、本考案が解決しようとする第１課題〜第２課題を達成することができ、当業者予測不可能な顕著な効果を奏することができた。
○第７の考案の効果
第７の考案によれば、
電動野菜スライサー１００が筐体ＢＸに収納されてなり、筐体ＢＸの上面部、及び、野菜受けＶＲが設置されてスライスされた野菜を収穫する側の側面部が開口されてなることという特徴的な構成要件により、本考案が解決しようとする第１課題〜第２課題を達成することができ、当業者予測不可能な顕著な効果を奏することができた。
【考案を実施するための最良の形態】
【０００８】
以下、本考案に係る電動野菜スライサー１００に関する最良の実施形態について、図面を参照しながら説明する。
［図１］図１は、本発明に係る電動野菜スライサー１００を説明する図である。図１（Ａ）は、本発明に係る電動野菜スライサー１００を説明する図である。図１（Ｂ）図は、本発明に係る電動野菜スライサー１００を説明する正面図（回転刃ＲＣは記載を省略している。）である。
［図２］図２は、Ａ−Ａ矢視図、Ｂ−Ｂ矢視図、Ｃ−Ｃ矢視図、Ｄ−Ｄ矢視図を説明する図である。図２（Ａ）図は、Ｄ−Ｄ矢視図を説明する図である。
図２（Ｂ）図は、Ａ−Ａ矢視図、Ｂ−Ｂ矢視図、Ｃ−Ｃ矢視図を説明する正面図である。
［図３］図３は、図２におけるＣ−Ｃ矢視図である。
［図４］図４は、Ａ−Ａ矢視図である。
［図５］図５（Ａ）図は、Ａ−Ａ矢視図である。図５（Ｂ）図は、Ｂ−Ｂ切断端面図である。図５（Ｃ）図はＣ−Ｃ切断端面図である。
［図６］図６は、本発明に係る野菜投入具ＶＵを説明する図である。図６（Ａ）図は、本発明に係る野菜投入具ＶＵを説明する平面図である。図６（Ｂ）図は、本発明に係る野菜投入具ＶＵを説明する正面図である。
［図７］図７は、野菜投入具ＶＵの上面及び下面の野菜投入口の形状と野菜投入具ＶＵの野菜投入口の横断面上の形状との関係を示す図である。
［図８］図８（Ａ）図は、図２におけるＢ−Ｂ矢視図である。
図８（Ｂ）図は、図２におけるＤ−Ｄ切断端面図である。
［図９］図９は、本発明に係る基盤体部ＢＰの正面右上から視た斜視図である。
［図１０］図１０は、本発明に係る野菜投入口ＶＯの形状の種類を表す図である。
図１０（Ａ）図は、本発明に係る野菜投入口ＶＯの形状が円形であることを示す図である。
図１０（Ｂ）図は、本発明に係る野菜投入口ＶＯの形状が楕円であることを示す図である。
図１０（Ｃ）図は、本発明に係る野菜投入口ＶＯの形状が長方形であることを示す図である。
図１０（Ｄ）図は、本発明に係る野菜投入口ＶＯの形状が相対する直線と相対する円弧からなる形状であることを示す図である。
［図１１］図１１は、長手方向ＶＬが回転方向に対して斜め下方向である場合は、野菜投入口ＶＯからスライスする野菜Ｖが自動的に回転刃ＲＣへと送り出されることを示す図である。
［図１２］図１２は、図１１において力の釣合を示す部分を拡大した図である。
以下、本考案に係る、電動野菜スライサー１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動野菜スライサー１００において、
３又は４以上の回転刃ＲＣが取付けられた回転面ＲＦと、回転面ＲＦの上方に設置され、３又は４以上の野菜投入口ＶＯを有してなる野菜投入具ＶＵと、回転面ＲＦの下方に有って回転面ＲＦを垂直軸ＲＬ廻りに回転駆動する電動モーターＭと基盤体部ＢＰとから構成される電動野菜スライサー１００において、電動モーターＭと野菜投入具ＶＵが基盤体部ＢＰに取付けられてなり、回転刃ＲＣの刃先ＣＥが放射状に野菜投入具ＶＵに取付けられてなり、かつ、回転刃ＲＣの刃先ＣＥが回転面ＲＦよりスライス厚さｔ（ｃｍ）上方に突出してなり、
野菜投入口ＶＯの形状Ｇは、スライスする野菜Ｖを投入するために円形又は楕円形又は長方形又は相対する直線と相対する円弧からなる形状をしてなり、野菜投入口ＶＯの長手方向ＶＬは垂直方向又は回転方向に対して斜め下方向であり、野菜投入口ＶＯはスライスする野菜Ｖを回転刃ＲＣへと案内すると共に、スライスする野菜Ｖを保持することを特徴とする電動野菜スライサー１００が開示されている。
○第１の考案の効果
第１の考案によれば、
３又は４以上の回転刃ＲＣが取付けられた回転面ＲＦと、回転面ＲＦの上方に設置され、３又は４以上の野菜投入口ＶＯを有してなる野菜投入具ＶＵと、回転面ＲＦの下方に有って回転面ＲＦを垂直軸ＲＬ廻りに回転駆動する電動モーターＭと基盤体部ＢＰとから構成される電動野菜スライサー１００において、電動モーターＭと野菜投入具ＶＵが基盤体部ＢＰに取付けられてなり、回転刃ＲＣの刃先ＣＥが放射状に野菜投入具ＶＵに取付けられてなり、かつ、回転刃ＲＣの刃先ＣＥが回転面ＲＦよりスライス厚さｔ（ｃｍ）上方に突出してなり、
野菜投入口ＶＯの形状Ｇは、スライスする野菜Ｖを投入するために円形又は楕円形又は長方形又は相対する直線と相対する円弧からなる形状をしてなり、野菜投入口ＶＯの長手方向ＶＬは垂直方向又は回転方向に対して斜め下方向であり、野菜投入口ＶＯはスライスする野菜Ｖを回転刃ＲＣへと案内すると共に、スライスする野菜Ｖを保持することという特徴的な構成要件により、本考案が解決しようとする第１課題〜第２課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動野菜スライサー１００において、
長手方向ＶＬが回転方向に対して斜め下方向とは、野菜投入口ＶＯの長手方向ＶＬが回転面の回転方向に向かって斜めに下がっていく斜め方向であることを特徴とする請求項１に記載された電動野菜スライサー１００が開示されている。
○第２の考案の効果
第２の考案によれば、
長手方向ＶＬが回転方向に対して斜め下方向とは、野菜投入口ＶＯの長手方向ＶＬが回転面の回転方向に向かって斜めに下がっていく斜め方向であることという特徴的な構成要件により、本考案が解決しようとする第１課題〜第２課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動野菜スライサー１００において、
長手方向ＶＬが垂直方向である場合は、野菜投入口ＶＯから手でスライスする野菜Ｖを回転刃ＲＣへと送り出し、
長手方向ＶＬが回転方向に対して斜め下方向である場合は、野菜投入口ＶＯからスライスする野菜Ｖが自動的に回転刃ＲＣへと送り出されることを特徴とする請求項１〜２の何れかに記載された電動野菜スライサー１００が開示されている。
○第３の考案の効果
第３の考案によれば、
長手方向ＶＬが垂直方向である場合は、野菜投入口ＶＯから手でスライスする野菜Ｖを回転刃ＲＣへと送り出し、
長手方向ＶＬが回転方向に対して斜め下方向である場合は、野菜投入口ＶＯからスライスする野菜Ｖが自動的に回転刃ＲＣへと送り出されることという特徴的な構成要件により、本考案が解決しようとする第１課題〜第２課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動野菜スライサー１００において、
基盤体部ＢＰの取付け部とて野菜投入具ＶＵの取付部の穴あきスペーサーを挿入してネジ締めをすることにより、回転刃ＲＣの刃先ＣＥが回転面ＲＦよりスライス厚さｔ（ｃｍ）上方に突出してなるように調整をすることを特徴とする請求項１〜３の何れかに記載された電動野菜スライサー１００が開示されている。
○第４の考案の効果
第４の考案によれば、
基盤体部ＢＰの取付け部とて野菜投入具ＶＵの取付部の穴あきスペーサーを挿入してネジ締めをすることにより、回転刃ＲＣの刃先ＣＥが回転面ＲＦよりスライス厚さｔ（ｃｍ）上方に突出してなるように調整をすることという特徴的な構成要件により、本考案が解決しようとする第１課題〜第２課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動野菜スライサー１００において、
スライスする野菜Ｖが、ごぼうである、又は、大根を縦半分に切ったもの、又は、縦半分に切った大根をさらに縦半分に切ったものであることを特徴とする請求項１〜４の何れかに記載された電動野菜スライサー１００が開示されている。
○第５の考案の効果
第５の考案によれば、
スライスする野菜Ｖが、ごぼうである、又は、大根を縦半分に切ったもの、又は、縦半分に切った大根をさらに縦半分に切ったものであることという特徴的な構成要件により、本考案が解決しようとする第１課題〜第２課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動野菜スライサー１００において、
スライスした野菜Ｖを受ける野菜受けＶＲが、垂直板と斜板とから構成されてなり、垂直板が野菜投入具ＶＵの取付部に取付けてなることを特徴とする請求項１〜５の何れかに記載された電動野菜スライサー１００が開示されている。
○第６の考案の効果
第６の考案によれば、
スライスした野菜Ｖを受ける野菜受けＶＲが、垂直板と斜板とから構成されてなり、垂直板が野菜投入具ＶＵの取付部に取付けてなることという特徴的な構成要件により、本考案が解決しようとする第１課題〜第２課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動野菜スライサー１００において、
電動野菜スライサー１００が筐体ＢＸに収納されてなり、筐体ＢＸの上面部、及び、野菜受けＶＲが設置されてスライスされた野菜を収穫する側の側面部が開口されてなることを特徴とする請求項１〜６の何れかに記載された電動野菜スライサー１００が開示されている。
○第７の考案の効果
第７の考案によれば、
電動野菜スライサー１００が筐体ＢＸに収納されてなり、筐体ＢＸの上面部、及び、野菜受けＶＲが設置されてスライスされた野菜を収穫する側の側面部が開口されてなることという特徴的な構成要件により、本考案が解決しようとする第１課題〜第２課題を達成することができ、当業者予測不可能な顕著な効果を奏することができた。
【図面の簡単な説明】
【０００９】
【図１】図１は、本発明に係る電動野菜スライサー１００を説明する図である。図１（Ａ）は、本発明に係る電動野菜スライサー１００を説明する図である。図１（Ｂ）図は、本発明に係る電動野菜スライサー１００を説明する正面図（回転刃ＲＣは記載を省略している。）である。
【図２】図２は、Ａ−Ａ矢視図、Ｂ−Ｂ矢視図、Ｃ−Ｃ矢視図、Ｄ−Ｄ矢視図を説明する図である。図２（Ａ）図は、Ｄ−Ｄ矢視図を説明する図である。図２（Ｂ）図は、Ａ−Ａ矢視図、Ｂ−Ｂ矢視図、Ｃ−Ｃ矢視図を説明する正面図である。
【図３】図３は、図２におけるＣ−Ｃ矢視図である。
【図４】図４は、Ａ−Ａ矢視図である。
【図５】図５（Ａ）図は、Ａ−Ａ矢視図である。図５（Ｂ）図は、Ｂ−Ｂ切断端面図である。図５（Ｃ）図はＣ−Ｃ切断端面図である。
【図６】図６は、本発明に係る野菜投入具ＶＵを説明する図である。図６（Ａ）図は、本発明に係る野菜投入具ＶＵを説明する平面図である。図６（Ｂ）図は、本発明に係る野菜投入具ＶＵを説明する正面図である。
【図７】図７は、野菜投入具ＶＵの上面及び下面の野菜投入口の形状と野菜投入具ＶＵの野菜投入口の横断面上の形状との関係を示す図である。
【図８】図８（Ａ）図は、図２におけるＢ−Ｂ矢視図である。図８（Ｂ）図は、図２におけるＤ−Ｄ切断端面図である。
【図９】図９は、本発明に係る基盤体部ＢＰの正面右上から視た斜視図である。
【図１０】１０図は、本発明に係る野菜投入口ＶＯの形状の種類を表す図である。図１０（Ａ）図は、本発明に係る野菜投入口ＶＯの形状が円形であることを示す図である。図１０（Ｂ）図は、本発明に係る野菜投入口ＶＯの形状が楕円であることを示す図である。図１０（Ｃ）図は、本発明に係る野菜投入口ＶＯの形状が長方形であることを示す図である。図１０（Ｄ）図は、本発明に係る野菜投入口ＶＯの形状が相対する直線と相対する円弧からなる形状であることを示す図である。
【図１１】図１１は、長手方向ＶＬが回転方向に対して斜め下方向である場合は、野菜投入口ＶＯからスライスする野菜Ｖが自動的に回転刃ＲＣへと送り出されることを示す図である。
【図１２】図１２は、図１１において力の釣合を示す部分を拡大した図である。
【符号の説明】
【００１０】
ＲＣ……回転刃
ＣＥ……刃先
ＲＦ……回転面
ＶＯ……野菜投入口
ＶＵ……野菜投入具
ＲＬ……垂直軸
Ｍ……電動モーター
ＧＰ……基盤体部
１００……電動野菜スライサー
ｔ……スライス厚さ（ｃｍ）
ＶＡ……野菜投入口ＶＯの断面
ＶＬ……野菜投入口ＶＯの長手方向
ＢＸ……筐体
【図１】
0003214798.tif 000003
【図２】
0003214798.tif 000004
【図３】
0003214798.tif 000005
【図４】
0003214798.tif 000006
【図５】
0003214798.tif 000007
【図６】
0003214798.tif 000008
【図７】
0003214798.tif 000009
【図８】
0003214798.tif 000010
【図９】
0003214798.tif 000011
【図１０】
0003214798.tif 000012
【図１１】
0003214798.tif 000013
【図１２】
0003214798.tif 000014
【手続補正書】
【提出日】平成29年12月4日(2017.12.4)
【手続補正１】
【補正対象書類名】実用新案登録請求の範囲
【補正対象項目名】全文
【補正方法】変更
【補正の内容】
【実用新案登録請求の範囲】
【請求項１】
３又は４以上の回転刃ＲＣが取付けられた回転面ＲＦと、回転面ＲＦの上方に設置され、３又は４以上の野菜投入口ＶＯを有してなる野菜投入具ＶＵと、回転面ＲＦの下方に有って回転面ＲＦを垂直軸ＲＬ廻りに回転駆動する電動モーターＭと電動モーターＭと野菜投入具ＶＵを固定してなる基盤体部ＢＰとから構成される電動野菜スライサー１００において、電動モーターＭと野菜投入具ＶＵが基盤体部ＢＰに取付けられてなり、回転刃ＲＣの刃先ＣＥが放射状に回転面ＲＦに取付けられてなり、かつ、回転刃ＲＣの刃先ＣＥが回転面ＲＦよりスライス厚さｔ（ｃｍ）上方に突出してなり、
野菜投入口ＶＯの形状Ｇは、スライスする野菜Ｖを投入するために円形又は楕円形又は長方形又は相対する直線と相対する円弧からなる形状をしてなり、野菜投入口ＶＯの長手方向ＶＬは垂直方向又は回転方向に対して斜め下方向であり、野菜投入口ＶＯはスライスする野菜Ｖを回転刃ＲＣへと案内すると共に、スライスする野菜Ｖを保持することを特徴とする電動野菜スライサー１００。
【請求項２】
長手方向ＶＬが回転方向に対して斜め下方向とは、野菜投入口ＶＯの長手方向ＶＬが回転面の回転方向に向かって斜めに下がっていく斜め方向であることを特徴とする請求項１に記載された電動野菜スライサー１００。
【請求項３】
長手方向ＶＬが垂直方向である場合は、野菜投入口ＶＯから手でスライスする野菜Ｖを回転刃ＲＣへと送り出し、
長手方向ＶＬが回転方向に対して斜め下方向である場合は、野菜投入口ＶＯからスライスする野菜Ｖが自動的に回転刃ＲＣへと送り出されることを特徴とする請求項１〜２の何れかに記載された電動野菜スライサー１００。
【請求項４】
基盤体部ＢＰの取付部と野菜投入具ＶＵの取付部の間に穴あきスペーサーを挿入してネジ締めをすることにより、回転刃ＲＣの刃先ＣＥが回転面ＲＦよりスライス厚さｔ（ｃｍ）上方に突出してなるように調整をすることを特徴とする請求項１〜３の何れかに記載された電動野菜スライサー１００。
【請求項５】
スライスする野菜Ｖが、ごぼうである、又は、大根を縦半分に切ったもの、又は、縦半分に切った大根をさらに縦半分に切ったものであることを特徴とする請求項１〜４の何れかに記載された電動野菜スライサー１００。
【請求項６】
スライスした野菜Ｖを受ける野菜受けＶＲが、垂直板と斜板とから構成されてなり、垂直板が野菜投入具ＶＵの取付部に取付けてなることを特徴とする請求項１〜５の何れかに記載された電動野菜スライサー１００。
【請求項７】
電動野菜スライサー１００が筐体ＢＸに収納されてなり、筐体ＢＸの上面部、及び、野菜受けＶＲが設置されてスライスされた野菜を収穫する側の側面部が開口されてなることを特徴とする請求項１〜６の何れかに記載された電動野菜スライサー１００。
【手続補正２】
【補正対象書類名】明細書
【補正対象項目名】全文
【補正方法】変更
【補正の内容】
【考案の詳細な説明】
【技術分野】
【０００１】
本考案は、電動野菜スライサーに関する。
【背景技術】
【０００２】
電動モーターの回転数を大きくすることより電動モーターの小型化を図ることができるが、電動野菜スライサーを提供する場合、野菜のスライスはそれ程大きな電力を必要とせず、電動モーターの回転数を大きくすることによる騒音及び振動の増加という欠点の方がより大きな問題としてクローズアップしてくる。
むしろ、騒音及び振動について問題のない回転数の電動モーターを用いることにより、スライスできる野菜の量を増やして生産性の向上を図ることが重要となってくる。
【０００３】
考案者は、かかる従来技術の欠点に鑑み鋭意研究した結果、本考案を完成させた。
【先行技術文献】
【特許文献】
【０００４】
本願考案に係る電動野菜スライサーについて、ＦＩ、キーワード検索を行ったところ、本件考案（請求項１〜７に記載された発明）に近い考案等記載文献は、発見されませんでしたので、特許文献の記載は省略する。
【考案の概要】
【考案が解決しようとする課題】
【０００５】
○本考案が解決しようとする第１課題
本考案が解決しようとする第１課題は、
電動モーターの回転数を上げることなく、迅速かつ低騒音で低振動で野菜をスライスすることができる電動野菜スライサーを提供することである。
○本考案が解決しようとする第２課題
本考案が解決しようとする第２課題は、
野菜投入口から手でスライスする野菜を回転刃へと送り出す必要があると考えられているが、野菜投入口からスライスする野菜が自動的に回転刃へと送り出されることができる電動野菜スライサーを提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
本発明について、座標系はｘｙｚ座標系を採用するものとし、正面図、背面図、左側面図、右側面図、平面（上面）図、底面図、斜視図において、統一的にｘｙｚ座標系を採用する。
ｘｙｚ座標系は、原則として、以下のように定める。
ｘ方向とは、正面図において右側面から左側面への方向（水平方向）をいう。
ｙ方向とは、正面図において底面から平面（上面）への方向（反重力方向）をいう。
ｚ方向とは、正面図において正面から背面への方向（水平方向）をいう。
＜用語の説明＞
○スライサーとは、本発明においては、野菜を薄く切る道具をいう。
○回転刃ＲＣとは、電動モーターＭにより回転駆動する回転面ＲＦに刃先ＣＥを回転方向に向けて取付けてなる野菜Ｖをスライスするための刃をいう。
ここに、刃とは、対象を切断ないし切削する（本発明では、野菜をスライスする）機械要素ないし構造のことである。
○刃先ＣＥとは、刃の先端をいう。本発明では、回転刃ＲＣの刃先ＣＥが放射状に回転面ＲＦよりスライス厚さｔ（ｃｍ）上方に突出するように回転面ＲＦに取付けられてなる。
○３又は４以上の回転刃ＲＣとは、電動モーターＭの回転数を一定にして、スライスできる野菜の量を３倍又は４倍以上に増やして生産性を３倍又は４倍以上に向上するために必要な回転刃ＲＣの個数をいう。
○電動野菜スライサー１００とは、電動モーターＭの駆動により、回転面ＲＦの上方に設置された回転刃ＲＣを回転させることにより半自動的に野菜Ｖをスライスするためのスライサーをいう。
本発明に係る電動野菜スライサー１００とは、３又は４以上の回転刃ＲＣが取付けられた回転面ＲＦと、回転面ＲＦの上方に設置され、３又は４以上の野菜投入口ＶＯを有してなる野菜投入具ＶＵと、回転面ＲＦの下方に合って回転面ＲＦを垂直軸ＲＬ廻りに回転駆動する電動モーターＭと基盤体部ＢＰとから構成されてなる。
○回転面ＲＦとは、回転面ＲＦの下方にある電動モーターＭによって回転駆動され、回転面ＲＦに取付けられた回転刃ＲＣを回転駆動させることにより半自動的に野菜Ｖをスライスするための電動野菜スライサー１００の構成要素の一つである。
○野菜投入口ＶＯとは、野菜投入具ＶＵに設けてあって、スライスする野菜Ｖを回転刃ＲＣへと案内すると共に、スライスする野菜Ｖを保持するための野菜投入具ＶＵの上面と下面を貫通する貫通口をいう。
○野菜投入具ＶＵとは、３又は４以上の野菜投入口ＶＯを有してなり、基盤体部ＢＰに取付けられてなるスライスする野菜Ｖを投入するための道具をいう。
○３又は４以上の野菜投入口ＶＯとは、電動モーターＭの回転数を一定にして、スライスできる野菜の量を３倍又は４倍以上に増やして生産性を３倍又は４倍以上に向上するために必要な野菜投入口ＶＯの個数をいう。
○垂直軸ＲＬとは、回転する回転面ＲＦの中心軸をいい、当該中心軸が垂直方向に一致している。
●基盤体部ＢＰとは、３又は４以上の野菜投入口ＶＯを有してなる野菜投入具ＶＵと、回転面ＲＦを垂直軸ＲＬ廻りに回転駆動する電動モーターＭを、動かないように固定するための基盤体部をいう。
○野菜投入口ＶＯの形状Ｇが円形の断面であるとは、ぶつ切りにスライスする円形状の野菜Ｖを投入するための断面をいう（図１０（Ａ）図）。
○野菜投入口ＶＯの形状Ｇは楕円形の断面であるとは、斜め切りにスライスする円形状野菜を投入するための断面をいう（図１０（Ｂ）図）。
○野菜投入口ＶＯの形状Ｇは長方形であるとは、大型の野菜（例えば、大根等）を縦半分に切ったもの、又は、縦半分に切った大型の野菜をさらに縦半分に切ったものを一緒に投入するための断面（図１０（Ｃ）図）をいう。
○野菜投入口ＶＯの形状Ｇは相対する直線と相対する円弧からなる形状であるとは、大型の野菜（例えば、大根等）を縦半分に切ったもの、又は、縦半分に切った大型の野菜をさらに縦半分に切ったものを一緒に投入するための断面をいう（図１０（Ｄ）図）。
○野菜投入口ＶＯの長手方向ＶＬとは、野菜投入口ＶＯの形状Ｇの中心線（重心）が下方に向かう方向をいう（図６（Ｂ）図、図１１）。
○スライス厚さｔ（ｃｍ）とは、スライスした野菜Ｖの厚さ（ｃｍ）をいう。
スライス厚さｔ（ｃｍ）を所定の厚さにすることは、基盤体部ＢＰの取付部と野菜投入具ＶＵの取付部の間に穴あきスペーサーを挿入してネジ締めをすることにより、野菜投入具ＶＵが回転刃ＲＣの刃先ＣＥが放射状に回転面ＲＦよりスライス厚さｔ（ｃｍ）上方に突出するように調整をすることで達成される。
○長手方向ＶＬが垂直方向である野菜投入口ＶＯとは、野菜投入口ＶＯの長手方向ＶＬが回転面ＲＦの面に対して直角を意味し、スライスする円形状の野菜をぶつ切りにするための野菜投入口ＶＯをいう。
○放射状とは、線状のものが中心から四方に出ているさまをいう。
本発明では、刃先ＣＥの線が中心軸ＲＬから四方に出ているさまをいう（図４上図）。
○回転刃ＲＣの刃先ＣＥが回転面ＲＦよりスライス厚さｔ（ｃｍ）上方に突出するとは、スライス厚さｔ（ｃｍ）のスライスした野菜Ｖを得るためには、回転刃ＲＣの刃先ＣＥが回転面ＲＦの上面より上に位置することをいう。逆に言えば、回転刃ＲＣの刃先ＣＥが回転面ＲＦよりスライス厚さｔ（ｃｍ）上方に突出するようにすれば、スライス厚さｔ（ｃｍ）のスライスした野菜Ｖを得ることができる（図４下図、図５（Ｂ）、図５（Ａ）図）。
○野菜投入口ＶＯの長手方向ＶＬは回転方向に対して斜め下方向であるとは、スライスする野菜Ｖを斜め切りする場合、野菜投入口ＶＯの長手方向ＶＬを回転方向に対して斜め下方向にする必要があることをいう（図６（Ｂ）図、図１１）。
このように野菜投入口ＶＯの向きを設定すると、スライスする野菜Ｖに対して、回転方向に力ＶＦを付与し、野菜投入口ＶＯの長手方向ＶＬに下方方向の力を受けるので、スライスする野菜を手で野菜投入口ＶＯがら回転面ＲＦへと送出する必要がなく自動的に力ＶＦによりスライスする野菜が自動的に野菜投入口ＶＯが回転面ＲＦへと送出されることになる（図１１）。
○筐体ＢＸとは機械や装置の本体部分（カバーも含める）のことをいい、手や他の器具で触れる部分（操作部）に対する用語である。
●ｘｙｚ座標系（野菜投入口ＶＯの形状Ｇ）
野菜投入口ＶＯの形状Ｇを記述する場合、特に断らない限り、既に定義したｘｙｚ座標を用いる。
野菜投入口ＶＯの形状Ｇは、野菜投入口ＶＯの輪郭線２次元画像Ｇ（ｘ，ｚ）で表される。２次元画像Ｇ（ｘ，ｚ）は、野菜投入口ＶＯの輪郭線２を表す点（ｘ，ｚ）の集合をいう。
●ｘ’ｙ’ｚ’座標系
ｘ’ｙ’ｚ’座標系は、以下のように定める。
ｘ’方向とは、ｘ方向からｚ方向の周りに角度φ回転した方向をいう。
ｙ’方向とは、ｙ方向からｚ方向の周りに角度φ回転した方向をいう。
ｚ’方向とは、ｚ方向と同じであり、正面から背面への方向をいう。
●ｘｙｚ座標系の原点
（１）野菜投入口ＶＯの形状（野菜投入具を記述する場合、野菜投入口ＶＯ（上面又は底面）の形状の中心（重心）を原点（点Ｏ１、点Ｏ２）とする。
（２）野菜投入口ＶＯの形状（野菜投入具を記述する場合、野菜投入口ＶＯ（上面又は底面）の形状の中心（重心）を原点（点Ｏ１、点Ｏ２）とし、点Ｏ１、点Ｏ２を結ぶ線上に有る点Ｏ’を  原点とする。
●ｘ’ｙ’ｚ’座標系の原点
（１）野菜投入口ＶＯの形状（野菜投入具を記述する場合、野菜投入口ＶＯ（上面又は底面）の形状の中心（重心）を原点（点Ｏ１、点Ｏ２）とする。
（２）野菜投入口ＶＯの形状（野菜投入具を記述する場合、野菜投入口ＶＯ（上面又は底面）の形状の中心（重心）を原点（点Ｏ１、点Ｏ２）とし、点Ｏ１、点Ｏ２を結ぶ線上に有る点Ｏ’を  原点とする。
●野菜投入口ＶＯの形状の画像Ｇは、ｘｙｚ座標系で表す場合とｘ’ｙ’ｚ’座標系で表す場合があることについて
野菜投入口ＶＯの形状の画像Ｇ（ｘ，ｚ）は、特に断らない限り、ｘｙｚ座標系で表すものとする。
点Ｏ１、点Ｏ２を結ぶ線上に有る点Ｏ’を原点とし、当該原点を通る野菜投入口ＶＯの横断面の形状像Ｇ’を画像Ｇ’（ｘ’，ｚ’）とする。
そして、画像Ｇ（ｘ，ｚ）の点Ｐを（ｘ，ｚ）とし、画像Ｇ’（ｘ’，ｚ’）の点Ｐを（ｘ’，ｚ’）とすれば、下式を得る。
ｘｓｉｎ（φ）＝ｘ’、ｚ＝ｚ’……（１）式
画像Ｇ’（ｘ’，ｚ’）が半径ａの円形状である場合、下式を得る。
（ｘ’／ａ）＊＊２＋（ｚ’／ａ）＊＊２＝１……（２）式
（１）式を（２）式に代入して、下式を得る。
（ｘ’／（ａ／ｓｉｎ（φ））＊＊２＋（ｚ’／ａ）＊＊２＝１……（３）式
野菜投入口ＶＯの横断面の形状像Ｇ’が円形状の場合、野菜投入口ＶＯの形状の画像Ｇは楕円形場で表される（図６、図７）。
＊＊＊＊＊＊＊＊＊＊＊＊＊＊＊＊＊＊＊＊＊＊＊＊＊＊＊＊＊＊＊＊＊＊＊
＜図６の説明について＞
図６は、野菜投入口ＶＯの長手方向ＶＬが垂直方向又は回転方向に対して斜め下方向である場合を表したものである。
野菜投入口ＶＯ（上面）の形状の中心（重心）を点Ｏ１とし、野菜投入口ＶＯ（底面）の形状の中心（重心）を点Ｏ２とする。
距離ＯＯ１＝距離ＯＯ２＝ｒ（ｃｍ）とし、線ＯＯ１と線ＯＯ２の狭角をΔθとすれば、
距離 Ｏ１Ｏ２＝２ｒｓｓｉｎ（Δθ／２）……（１）式
ここに、距離ｏ１ｏ２は、点Ｏ１と点Ｏ２との水平方向の距離をいう（点Ｏ１と点Ｏ２のｙ方向の値を同じにして考える。）。
また、野菜投入口ＶＯの長手方向ＶＬが垂直方向となす角度をφ、野菜投入具ＶＵの高さをｈ（ｃｍ）とすれば、
Ｓｉｎ（φ）＝距離Ｏ１Ｏ２／ｈ＝２ｒ（Δθ／２）／ｈ……（２）式
＊＊＊＊＊＊＊＊＊＊＊＊＊＊＊＊＊＊＊＊＊＊＊＊＊＊＊＊＊＊＊＊＊＊＊
＜図１２の説明について＞
図１１は、長手方向ＶＬが回転方向に対して斜め下方向である場合は、野菜投入口ＶＯからスライスする野菜Ｖが自動的に回転刃ＲＣへと送り出されることを示す図であり、図１２は、図１１において力の釣合を示す部分を拡大したものである。
回転刃ＲＣの刃先ＣＥは、回転駆動することによって、スライスする野菜Ｖに対して水平方向に、力Ｆを加える。力Ｆは、力Ｆｈと力Ｆｈに分解される。
ここに、Ｆｈ＝Ｆｃｏｓ（φ）
Ｆｖ＝Ｆｓｉｎ（φ）
力Ｆｈは、図面左側の野菜投入口の壁の反力Ｒと釣り合うことになり、スライスする野菜Ｖに、回転刃ＲＦの方向に押し付けるように、Ｆｖ＝Ｆｓｉｎ（φ）
が残り、力Ｆｖが作用する。
すなわち、スライスする野菜Ｖに、回転刃ＲＦの方向に押し付けるように、力Ｆｖが作用することになる。
よって、長手方向ＶＬが回転方向に対して斜め下方向である場合は、野菜投入口ＶＯからスライスする野菜Ｖが自動的に回転刃ＲＣへと送り出されることを示された。
＊＊＊＊＊＊＊＊＊＊＊＊＊＊＊＊＊＊＊＊＊＊＊＊＊＊＊＊＊＊＊＊＊＊＊
○第１の考案（請求項１に記載の考案）  
上記の課題を解決するための第１の考案（請求項１に記載の考案）は、
３又は４以上の回転刃ＲＣが取付けられた回転面ＲＦと、回転面ＲＦの上方に設置され、３又は４以上の野菜投入口ＶＯを有してなる野菜投入具ＶＵと、回転面ＲＦの下方に有って回転面ＲＦを垂直軸ＲＬ廻りに回転駆動する電動モーターＭと基盤体部ＢＰとから構成される電動野菜スライサー１００において、電動モーターＭと野菜投入具ＶＵが基盤体部ＢＰに取付けられてなり、回転刃ＲＣの刃先ＣＥが放射状に回転面ＲＦに取付けられてなり、かつ、回転刃ＲＣの刃先ＣＥが回転面ＲＦよりスライス厚さｔ（ｃｍ）上方に突出してなり、
野菜投入口ＶＯの形状Ｇは、スライスする野菜Ｖを投入するために円形又は楕円形又は長方形又は相対する直線と相対する円弧からなる形状をしてなり、野菜投入口ＶＯの長手方向ＶＬは垂直方向又は回転方向に対して斜め下方向であり、野菜投入口ＶＯはスライスする野菜Ｖを回転刃ＲＣへと案内すると共に、スライスする野菜Ｖを保持することを特徴とする電動野菜スライサー１００である。
○第２の考案（請求項２に記載の考案）  
上記の課題を解決するための第２の考案（請求項２に記載の考案）は、
長手方向ＶＬが回転方向に対して斜め下方向とは、野菜投入口ＶＯの長手方向ＶＬが回転面の回転方向に向かって斜めに下がっていく斜め方向であることを特徴とする請求項１に記載された電動野菜スライサー１００である。
○第３の考案（請求項３に記載の考案）
上記の課題を解決するための第３の考案（請求項３に記載の考案）は、
長手方向ＶＬが垂直方向である場合は、野菜投入口ＶＯから手でスライスする野菜Ｖを回転刃ＲＣへと送り出し、
長手方向ＶＬが回転方向に対して斜め下方向である場合は、野菜投入口ＶＯからスライスする野菜Ｖが自動的に回転刃ＲＣへと送り出されることを特徴とする請求項１〜２の何れかに記載された電動野菜スライサー１００である。
○第４の考案（請求項４に記載の考案）
上記の課題を解決するための第４の考案（請求項４に記載の考案）は、
基盤体部ＢＰの取付部と野菜投入具ＶＵの取付部の間に穴あきスペーサーを挿入してネジ締めをすることにより、回転刃ＲＣの刃先ＣＥが回転面ＲＦよりスライス厚さｔ（ｃｍ）上方に突出してなるように調整をすることを特徴とする請求項１〜３の何れかに記載された電動野菜スライサー１００である。
○第５の考案（請求項５に記載の考案）
上記の課題を解決するための第５の考案（請求項５に記載の考案）は、
スライスする野菜Ｖが、ごぼうである、又は、大根を縦半分に切ったもの、又は、縦半分に切った大根をさらに縦半分に切ったものであることを特徴とする請求項１〜４の何れかに記載された電動野菜スライサー１００である。
○第６の考案（請求項６に記載の考案）
上記の課題を解決するための第６の考案（請求項６に記載の考案）は、
スライスした野菜Ｖを受ける野菜受けＶＲが、垂直板と斜板とから構成されてなり、垂直板が野菜投入具ＶＵの取付部に取付けてなることを特徴とする請求項１〜５の何れかに記載された電動野菜スライサー１００である。
○第７の考案（請求項７に記載の考案）
上記の課題を解決するための第７の考案（請求項７に記載の考案）は、
電動野菜スライサー１００が筐体ＢＸに収納されてなり、筐体ＢＸの上面部、及び、野菜受けＶＲが設置されてスライスされた野菜を収穫する側の側面部が開口されてなることを特徴とする請求項１〜６の何れかに記載された電動野菜スライサー１００である。
【考案の効果】
【０００７】
本考案に係る、電動野菜スライサー１００は、上記のような特徴的構成要件から構成され、特徴的構成要件に応じた、以下のような本願考案特有の効果を奏する。
また、上記の各考案に応じた、上記のような特徴的構成要件から構成された電動野菜スライサー１００によれば、本願考案の課題を十分解消することができた。
○第１の考案の効果
第１の考案によれば、
３又は４以上の回転刃ＲＣが取付けられた回転面ＲＦと、回転面ＲＦの上方に設置され、３又は４以上の野菜投入口ＶＯを有してなる野菜投入具ＶＵと、回転面ＲＦの下方に有って回転面ＲＦを垂直軸ＲＬ廻りに回転駆動する電動モーターＭと基盤体部ＢＰとから構成される電動野菜スライサー１００において、電動モーターＭと野菜投入具ＶＵが基盤体部ＢＰに取付けられてなり、回転刃ＲＣの刃先ＣＥが放射状に回転面ＲＦに取付けられてなり、かつ、回転刃ＲＣの刃先ＣＥが回転面ＲＦよりスライス厚さｔ（ｃｍ）上方に突出してなり、
野菜投入口ＶＯの形状Ｇは、スライスする野菜Ｖを投入するために円形又は楕円形又は長方形又は相対する直線と相対する円弧からなる形状をしてなり、野菜投入口ＶＯの長手方向ＶＬは垂直方向又は回転方向に対して斜め下方向であり、野菜投入口ＶＯはスライスする野菜Ｖを回転刃ＲＣへと案内すると共に、スライスする野菜Ｖを保持することという特徴的な構成要件により、本考案が解決しようとする第１課題〜第２課題を達成することができ、当業者予測不可能な顕著な効果を奏することができた。
○第２の考案の効果
第２の考案によれば、
長手方向ＶＬが回転方向に対して斜め下方向とは、野菜投入口ＶＯの長手方向ＶＬが回転面の回転方向に向かって斜めに下がっていく斜め方向であることという特徴的な構成要件により、本考案が解決しようとする第１課題〜第２課題を達成することができ、当業者予測不可能な顕著な効果を奏することができた。
○第３の考案の効果
第３の考案によれば、
長手方向ＶＬが垂直方向である場合は、野菜投入口ＶＯから手でスライスする野菜Ｖを回転刃ＲＣへと送り出し、
長手方向ＶＬが回転方向に対して斜め下方向である場合は、野菜投入口ＶＯからスライスする野菜Ｖが自動的に回転刃ＲＣへと送り出されることという特徴的な構成要件により、本考案が解決しようとする第１課題〜第２課題を達成することができ、当業者予測不可能な顕著な効果を奏することができた。
○第４の考案の効果
第４の考案によれば、
基盤体部ＢＰの取付部と野菜投入具ＶＵの取付部の間に穴あきスペーサーを挿入してネジ締めをすることにより、回転刃ＲＣの刃先ＣＥが回転面ＲＦよりスライス厚さｔ（ｃｍ）上方に突出してなるように調整をすることという特徴的な構成要件により、本考案が解決しようとする第１課題〜第２課題を達成することができ、当業者予測不可能な顕著な効果を奏することができた。
○第５の考案の効果
第５の考案によれば、
スライスする野菜Ｖが、ごぼうである、又は、大根を縦半分に切ったもの、又は、縦半分に切った大根をさらに縦半分に切ったものであることという特徴的な構成要件により、本考案が解決しようとする第１課題〜第２課題を達成することができ、当業者予測不可能な顕著な効果を奏することができた。
○第６の考案の効果
第６の考案によれば、
スライスする野菜Ｖが、ごぼうである、又は、大根を縦半分に切ったもの、又は、縦半分に切った大根をさらに縦半分に切ったものであることという特徴的な構成要件により、本考案が解決しようとする第１課題〜第２課題を達成することができ、当業者予測不可能な顕著な効果を奏することができた。
○第７の考案の効果
第７の考案によれば、
電動野菜スライサー１００が筐体ＢＸに収納されてなり、筐体ＢＸの上面部、及び、野菜受けＶＲが設置されてスライスされた野菜を収穫する側の側面部が開口されてなることという特徴的な構成要件により、本考案が解決しようとする第１課題〜第２課題を達成することができ、当業者予測不可能な顕著な効果を奏することができた。
【考案を実施するための最良の形態】
【０００８】
以下、本考案に係る電動野菜スライサー１００に関する最良の実施形態について、図面を参照しながら説明する。
［図１］図１は、本発明に係る電動野菜スライサー１００を説明する図である。図１（Ａ）は、本発明に係る電動野菜スライサー１００を説明する図である。図１（Ｂ）図は、本発明に係る電動野菜スライサー１００を説明する正面図（回転刃ＲＣは記載を省略している。）である。
［図２］図２は、Ａ−Ａ矢視図、Ｂ−Ｂ矢視図、Ｃ−Ｃ矢視図、Ｄ−Ｄ矢視図を説明する図である。図２（Ａ）図は、Ｄ−Ｄ矢視図を説明する図である。
図２（Ｂ）図は、Ａ−Ａ矢視図、Ｂ−Ｂ矢視図、Ｃ−Ｃ矢視図を説明する正面図である。
［図３］図３は、図２におけるＣ−Ｃ矢視図である。
［図４］図４は、Ａ−Ａ矢視図である。
［図５］図５（Ａ）図は、Ａ−Ａ矢視図である。図５（Ｂ）図は、Ｂ−Ｂ切断端面図である。図５（Ｃ）図はＣ−Ｃ切断端面図である。
［図６］図６は、本発明に係る野菜投入具ＶＵを説明する図である。図６（Ａ）図は、本発明に係る野菜投入具ＶＵを説明する平面図である。図６（Ｂ）図は、本発明に係る野菜投入具ＶＵを説明する正面図である。
［図７］図７は、野菜投入具ＶＵの上面及び下面の野菜投入口の形状と野菜投入具ＶＵの野菜投入口の横断面上の形状との関係を示す図である。
［図８］図８（Ａ）図は、図２におけるＢ−Ｂ矢視図である。
図８（Ｂ）図は、図２におけるＤ−Ｄ切断端面図である。
［図９］図９は、本発明に係る基盤体部ＢＰの正面右上から視た斜視図である。
［図１０］図１０は、本発明に係る野菜投入口ＶＯの形状の種類を表す図である。
図１０（Ａ）図は、本発明に係る野菜投入口ＶＯの形状が円形であることを示す図である。
図１０（Ｂ）図は、本発明に係る野菜投入口ＶＯの形状が楕円であることを示す図である。
図１０（Ｃ）図は、本発明に係る野菜投入口ＶＯの形状が長方形であることを示す図である。
図１０（Ｄ）図は、本発明に係る野菜投入口ＶＯの形状が相対する直線と相対する円弧からなる形状であることを示す図である。
［図１１］図１１は、長手方向ＶＬが回転方向に対して斜め下方向である場合は、野菜投入口ＶＯからスライスする野菜Ｖが自動的に回転刃ＲＣへと送り出されることを示す図である。
［図１２］図１２は、図１１において力の釣合を示す部分を拡大した図である。
以下、本考案に係る、電動野菜スライサー１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動野菜スライサー１００において、
３又は４以上の回転刃ＲＣが取付けられた回転面ＲＦと、回転面ＲＦの上方に設置され、３又は４以上の野菜投入口ＶＯを有してなる野菜投入具ＶＵと、回転面ＲＦの下方に有って回転面ＲＦを垂直軸ＲＬ廻りに回転駆動する電動モーターＭと基盤体部ＢＰとから構成される電動野菜スライサー１００において、電動モーターＭと野菜投入具ＶＵが基盤体部ＢＰに取付けられてなり、回転刃ＲＣの刃先ＣＥが放射状に回転面ＲＦに取付けられてなり、かつ、回転刃ＲＣの刃先ＣＥが回転面ＲＦよりスライス厚さｔ（ｃｍ）上方に突出してなり、
野菜投入口ＶＯの形状Ｇは、スライスする野菜Ｖを投入するために円形又は楕円形又は長方形又は相対する直線と相対する円弧からなる形状をしてなり、野菜投入口ＶＯの長手方向ＶＬは垂直方向又は回転方向に対して斜め下方向であり、野菜投入口ＶＯはスライスする野菜Ｖを回転刃ＲＣへと案内すると共に、スライスする野菜Ｖを保持することを特徴とする電動野菜スライサー１００が開示されている。
○第１の考案の効果
第１の考案によれば、
３又は４以上の回転刃ＲＣが取付けられた回転面ＲＦと、回転面ＲＦの上方に設置され、３又は４以上の野菜投入口ＶＯを有してなる野菜投入具ＶＵと、回転面ＲＦの下方に有って回転面ＲＦを垂直軸ＲＬ廻りに回転駆動する電動モーターＭと基盤体部ＢＰとから構成される電動野菜スライサー１００において、電動モーターＭと野菜投入具ＶＵが基盤体部ＢＰに取付けられてなり、回転刃ＲＣの刃先ＣＥが放射状に回転面ＲＦに取付けられてなり、かつ、回転刃ＲＣの刃先ＣＥが回転面ＲＦよりスライス厚さｔ（ｃｍ）上方に突出してなり、
野菜投入口ＶＯの形状Ｇは、スライスする野菜Ｖを投入するために円形又は楕円形又は長方形又は相対する直線と相対する円弧からなる形状をしてなり、野菜投入口ＶＯの長手方向ＶＬは垂直方向又は回転方向に対して斜め下方向であり、野菜投入口ＶＯはスライスする野菜Ｖを回転刃ＲＣへと案内すると共に、スライスする野菜Ｖを保持することという特徴的な構成要件により、本考案が解決しようとする第１課題〜第２課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動野菜スライサー１００において、
長手方向ＶＬが回転方向に対して斜め下方向とは、野菜投入口ＶＯの長手方向ＶＬが回転面の回転方向に向かって斜めに下がっていく斜め方向であることを特徴とする請求項１に記載された電動野菜スライサー１００が開示されている。
○第２の考案の効果
第２の考案によれば、
長手方向ＶＬが回転方向に対して斜め下方向とは、野菜投入口ＶＯの長手方向ＶＬが回転面の回転方向に向かって斜めに下がっていく斜め方向であることという特徴的な構成要件により、本考案が解決しようとする第１課題〜第２課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動野菜スライサー１００において、
長手方向ＶＬが垂直方向である場合は、野菜投入口ＶＯから手でスライスする野菜Ｖを回転刃ＲＣへと送り出し、
長手方向ＶＬが回転方向に対して斜め下方向である場合は、野菜投入口ＶＯからスライスする野菜Ｖが自動的に回転刃ＲＣへと送り出されることを特徴とする請求項１〜２の何れかに記載された電動野菜スライサー１００が開示されている。
○第３の考案の効果
第３の考案によれば、
長手方向ＶＬが垂直方向である場合は、野菜投入口ＶＯから手でスライスする野菜Ｖを回転刃ＲＣへと送り出し、
長手方向ＶＬが回転方向に対して斜め下方向である場合は、野菜投入口ＶＯからスライスする野菜Ｖが自動的に回転刃ＲＣへと送り出されることという特徴的な構成要件により、本考案が解決しようとする第１課題〜第２課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動野菜スライサー１００において、
基盤体部ＢＰの取付部と野菜投入具ＶＵの取付部の間に穴あきスペーサーを挿入してネジ締めをすることにより、回転刃ＲＣの刃先ＣＥが回転面ＲＦよりスライス厚さｔ（ｃｍ）上方に突出してなるように調整をすることを特徴とする請求項１〜３の何れかに記載された電動野菜スライサー１００が開示されている。
○第４の考案の効果
第４の考案によれば、
基盤体部ＢＰの取付部と野菜投入具ＶＵの取付部の間に穴あきスペーサーを挿入してネジ締めをすることにより、回転刃ＲＣの刃先ＣＥが回転面ＲＦよりスライス厚さｔ（ｃｍ）上方に突出してなるように調整をすることという特徴的な構成要件により、本考案が解決しようとする第１課題〜第２課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動野菜スライサー１００において、
スライスする野菜Ｖが、ごぼうである、又は、大根を縦半分に切ったもの、又は、縦半分に切った大根をさらに縦半分に切ったものであることを特徴とする請求項１〜４の何れかに記載された電動野菜スライサー１００が開示されている。
○第５の考案の効果
第５の考案によれば、
スライスする野菜Ｖが、ごぼうである、又は、大根を縦半分に切ったもの、又は、縦半分に切った大根をさらに縦半分に切ったものであることという特徴的な構成要件により、本考案が解決しようとする第１課題〜第２課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動野菜スライサー１００において、
スライスした野菜Ｖを受ける野菜受けＶＲが、垂直板と斜板とから構成されてなり、垂直板が野菜投入具ＶＵの取付部に取付けてなることを特徴とする請求項１〜５の何れかに記載された電動野菜スライサー１００が開示されている。
○第６の考案の効果
第６の考案によれば、
スライスした野菜Ｖを受ける野菜受けＶＲが、垂直板と斜板とから構成されてなり、垂直板が野菜投入具ＶＵの取付部に取付けてなることという特徴的な構成要件により、本考案が解決しようとする第１課題〜第２課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の電動野菜スライサー１００において、
電動野菜スライサー１００が筐体ＢＸに収納されてなり、筐体ＢＸの上面部、及び、野菜受けＶＲが設置されてスライスされた野菜を収穫する側の側面部が開口されてなることを特徴とする請求項１〜６の何れかに記載された電動野菜スライサー１００が開示されている。
○第７の考案の効果
第７の考案によれば、
電動野菜スライサー１００が筐体ＢＸに収納されてなり、筐体ＢＸの上面部、及び、野菜受けＶＲが設置されてスライスされた野菜を収穫する側の側面部が開口されてなることという特徴的な構成要件により、本考案が解決しようとする第１課題〜第２課題を達成することができ、当業者予測不可能な顕著な効果を奏することができた。
【図面の簡単な説明】
【０００９】
【図１】図１は、本発明に係る電動野菜スライサー１００を説明する図である。図１（Ａ）は、本発明に係る電動野菜スライサー１００を説明する図である。図１（Ｂ）図は、本発明に係る電動野菜スライサー１００を説明する正面図（回転刃ＲＣは記載を省略している。）である。
【図２】図２は、Ａ−Ａ矢視図、Ｂ−Ｂ矢視図、Ｃ−Ｃ矢視図、Ｄ−Ｄ矢視図を説明する図である。図２（Ａ）図は、Ｄ−Ｄ矢視図を説明する図である。図２（Ｂ）図は、Ａ−Ａ矢視図、Ｂ−Ｂ矢視図、Ｃ−Ｃ矢視図を説明する正面図である。
【図３】図３は、図２におけるＣ−Ｃ矢視図である。
【図４】図４は、Ａ−Ａ矢視図である。
【図５】図５（Ａ）図は、Ａ−Ａ矢視図である。図５（Ｂ）図は、Ｂ−Ｂ切断端面図である。図５（Ｃ）図はＣ−Ｃ切断端面図である。
【図６】図６は、本発明に係る野菜投入具ＶＵを説明する図である。図６（Ａ）図は、本発明に係る野菜投入具ＶＵを説明する平面図である。図６（Ｂ）図は、本発明に係る野菜投入具ＶＵを説明する正面図である。
【図７】図７は、野菜投入具ＶＵの上面及び下面の野菜投入口の形状と野菜投入具ＶＵの野菜投入口の横断面上の形状との関係を示す図である。
【図８】図８（Ａ）図は、図２におけるＢ−Ｂ矢視図である。図８（Ｂ）図は、図２におけるＤ−Ｄ切断端面図である。
【図９】図９は、本発明に係る基盤体部ＢＰの正面右上から視た斜視図である。
【図１０】１０図は、本発明に係る野菜投入口ＶＯの形状の種類を表す図である。図１０（Ａ）図は、本発明に係る野菜投入口ＶＯの形状が円形であることを示す図である。図１０（Ｂ）図は、本発明に係る野菜投入口ＶＯの形状が楕円であることを示す図である。図１０（Ｃ）図は、本発明に係る野菜投入口ＶＯの形状が長方形であることを示す図である。図１０（Ｄ）図は、本発明に係る野菜投入口ＶＯの形状が相対する直線と相対する円弧からなる形状であることを示す図である。
【図１１】図１１は、長手方向ＶＬが回転方向に対して斜め下方向である場合は、野菜投入口ＶＯからスライスする野菜Ｖが自動的に回転刃ＲＣへと送り出されることを示す図である。
【図１２】図１２は、図１１において力の釣合を示す部分を拡大した図である。
【符号の説明】
【００１０】
ＲＣ……回転刃
ＣＥ……刃先
ＲＦ……回転面
ＶＯ……野菜投入口
ＶＵ……野菜投入具
ＲＬ……垂直軸
Ｍ……電動モーター
ＧＰ……基盤体部
１００……電動野菜スライサー
ｔ……スライス厚さ（ｃｍ）
ＶＡ……野菜投入口ＶＯの断面
ＶＬ……野菜投入口ＶＯの長手方向
ＢＸ……筐体